Podtech/llm-jp-corpus-v4-ja_patent huggingface dataset:
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
（Ａ）少なくとも１種のモノマー性（環式）脂肪族イソシアネートを反応させることによって得られる少なくとも１種のポリイソシアネートと、
（Ｂ）イソシアネート基とイソシアネート−反応性基との反応を促進できる少なくとも１種の化合物と、
（Ｃ）少なくとも１つのホスホナイトと、
（Ｄ）芳香環ごとに１つだけフェノール性ヒドロキシ基を有し、かつ該官能基の少なくとも一方、好ましくは両方のオルト位にｔｅｒｔ−ブチル基を有する少なくとも１種の立体障害型フェノールと、
（Ｅ）場合により、少なくとも１種の溶媒と、
（Ｆ）場合により、少なくとも１種の酸性安定化剤と、
（Ｇ）場合により、他の典型的なコーティング添加剤と
を含むポリイソシアネート組成物。
【請求項２】
前記モノマー性（環式）脂肪族イソシアネートが、１，６−ヘキサメチレンジイソシアネート、１，３−ビス（イソシアナトメチル）シクロヘキサン、イソホロンジイソシアネート、４，４’−ジ（イソシアナトシクロヘキシル）メタン）、及び２，４’−ジ（イソシアナトシクロヘキシル）メタンから成る群から選択される、請求項１に記載のポリイソシアネート組成物。
【請求項３】
前記ポリイソシアネート（Ａ）が、イソシアヌレート基、ビウレット基、ウレタン基、及び／又はアロファネート基、並びに／あるいはイミノオキサジアジンジオン基を含有する、請求項１又は２に記載のポリイソシアネート組成物。
【請求項４】
前記ポリイソシアネートが、６００〜１５００ｍＰａ・ｓの粘度を有する、イソシアヌレート基を含むポリイソシアネート、２００〜１６００ｍＰａ・ｓの粘度を有する低粘度ウレタン及び／又はアロファネートである、請求項１から３までのいずれか１項に記載のポリイソシアネート組成物。
【請求項５】
前記化合物（Ｂ）が、ルイス酸性有機金属化合物である、請求項１から４までのいずれか１項に記載のポリイソシアネート組成物。
【請求項６】
前記ルイス酸性有機金属化合物が、スズ、亜鉛、鉄、チタン、アルミニウム、ジルコニウム、マンガン、ニッケル、コバルト、ビスマス、及びセシウムから成る群から選択される金属、好ましくはスズ及び亜鉛から成る群から選択される金属を含む、請求項５に記載のポリイソシアネート組成物。
【請求項７】
化合物（Ｃ）が、式：
Ｐ（ＯＲ1）（ＯＲ2）（Ｒ3）
［式中、
Ｒ1、Ｒ2、およびＲ3は、それぞれ独立して、Ｃ1〜Ｃ18アルキル、Ｃ6〜Ｃ12アリール、Ｃ5〜Ｃ12シクロアルキルであってもよく、これらの基のそれぞれが、アリール、アルキル、アリールオキシ、アルキルオキシ、ヘテロ原子、及び／又は複素環によって置換されていてもよい］のホスホナイトであり、その際、前記ホスホナイトが、単環性又は多環性であってもよい、請求項１から６までのいずれか１項に記載のポリイソシアネート組成物。
【請求項８】
化合物（Ｃ）が、式：
【化１】
2010522788.tif 000001
［式中、Ｒは、水素又はメチルであってもよい］のホスホナイトである、請求項１から７までのいずれか１項に記載のポリイソシアネート組成物。
【請求項９】
前記化合物（Ｄ）が、２，６−ビス−ｔｅｒｔ−ブチル−４−メチルフェノール、又はベンゼンプロピオン酸の３，５−ビス（１，１ジメチルエチル）−４−ヒドロキシ−Ｃ7〜Ｃ9分岐アルキルエステルである、請求項１から８までのいずれか１項に記載のポリイソシアネート組成物。
【請求項１０】
少なくとも１種の溶媒（Ｅ）が存在し、該溶媒が、芳香族炭化水素、（環式）脂肪族炭化水素、ケトン、エステル、エーテル、及びカーボネートから成る群から、より詳細には主としてＣ9及びＣ10芳香族を含む芳香族炭化水素の蒸留カットから、並びにジアルキルケトンから選択される、請求項１から９までのいずれか１項に記載のポリイソシアネート組成物。
【請求項１１】
前記ポリイソシアネート組成物が、５０℃で７週間保存した後、成分（Ｃ）及び成分（Ｄ）のいずれも存在しない同様のポリイソシアネート組成物の色度（ＤＩＮ  ＥＮ  １５５７によるＡＰＨＡ色度）において３０％超の増加を示さない、請求項１から１０までのいずれか１項に記載のポリイソシアネート組成物。
【請求項１２】
ポリイソシアネート（Ａ）に加えて、イソシアネート基とイソシアネート反応性基との反応を促進できる少なくとも１種の化合物（Ｂ）を含むポリイソシアネート組成物を安定化する方法であって、追加的に、ポリイソシアネート組成物と、少なくとも１種のホスホナイト（Ｃ）と、少なくとも１種のフェノール（Ｄ）と、場合により溶媒（Ｅ）と、場合により他の典型的なコーティング添加剤（Ｆ）とを混合する工程を含む方法。
【請求項１３】
請求項１から１１までのいずれか１項に記載のポリイソシアネート組成物と、イソシアネート反応性基を有する少なくとも１種のバインダーとを反応させる工程を含む、ポリウレタン塗料を製造する方法。
【請求項１４】
請求項１から１１までのいずれか１項に記載のポリイソシアネート組成物と、ポリアクリレートポリオール、ポリエステルポリオール、ポリエーテルポリオール、ポリウレタンポリオール、ポリ尿素ポリオール、ポリエーテルオール、ポリカーボネート、ポリエステル−ポリアクリレートポリオール、ポリエステル−ポリウレタンポリオール、ポリウレタン−ポリアクリレートポリオール、ポリウレタン変性アルキド樹脂、脂肪酸変性ポリエステル−ポリウレタンポリオール、アリルエーテルとのコポリマー、及び化合物の上記の物質群のコポリマー及びグラフトポリマーから成る群から選択される少なくとも１種のバインダーとを反応させる工程を含む、ポリウレタン塗料を製造する方法。
【請求項１５】
ポリウレタン塗料における硬化剤としての、請求項１から１１までのいずれか１項に記載のポリイソシアネート組成物の使用。
【請求項１６】
ポリイソシアネート組成物を８０℃までの温度でバインダーと硬化させる用途における硬化剤としての、請求項１から１１までのいずれか１項に記載のポリイソシアネート組成物の使用。
【請求項１７】
再仕上げ塗装、木材塗装、又は大型車塗装に関連する硬化剤としての、請求項１から１１までのいずれか１項に記載のポリイソシアネート組成物の使用。
【請求項１８】
最初に少なくとも１種のポリイソシアネートと、イソシアネート基とイソシアネート反応性基との反応を促進できる少なくとも１種の化合物（Ｂ）と、少なくとも１種のホスホナイト（Ｃ）と、少なくとも１種のフェノール（Ｄ）と、場合により少なくとも１種の溶媒（Ｅ）と、場合により少なくとも１種の酸性安定化剤（Ｆ）と、場合により少なくとも１種の典型的なコーティング添加剤とを混合する工程と、それに続く少なくとも１種のバインダーと混合する工程と、それに続く基材に該混合物を塗装して硬化させる工程とを含む、ポリウレタン塗料を製造する方法。
【請求項１９】
塗料、接着剤、又は封止剤における硬化剤としての、請求項１から１１までのいずれか１項に記載のポリイソシアネート組成物の使用。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
連続相線状ポリエステルマトリックスより本質的になり、内部に分散された架橋結合されていないランダムＳＡＮ−重合体並びに内部に分散または溶解された無機不透明化顔料、白化剤、着色剤、紫外線吸収剤、光安定剤、酸化防止剤および難燃剤よりなる成分群からの少なくとも１種の成分を有するフィルムであって、ここで該フィルムが白色であり、微孔形成されており、非透明性でありそして軸延伸されており、該線状ポリエステルマトリックスが少なくとも１種の芳香族ジカルボン酸、少なくとも１種の脂肪族ジオールおよび場合により少なくとも１種の脂肪族ジカルボン酸より本質的になる単量体単位を有し、該線状ポリエステル対該架橋結合されていないＳＡＮ−重合体の重量比が２．０：１〜１９．０：１の範囲内であり、そして該少なくとも１種の脂肪族ジメチレン単量体単位の１種が全ての脂肪族ジメチレン単量体単位の３０モル％もしくはそれより少ない濃度のネオペンチレンおよび１，４−シクロヘキサンジメチレンよりなる群から選択されるフィルム。
【請求項２】
合成紙としてまたはその中での請求項１に記載のフィルムの使用。
【請求項３】
請求項１に記載のフィルムを含んでなる像記録要素。
【請求項４】
非透明な微孔形成された軸延伸されたフィルムを製造する方法であって、ｉ）少なくとも１種の芳香族ジカルボン酸、少なくとも１種の脂肪族ジオールおよび場合により少なくとも１種の脂肪族ジカルボン酸より本質的になる単量体単位を有する少なくとも１種の線状ポリエステル、架橋結合されていないランダムＳＡＮ−重合体並びに無機不透明化顔料、白化剤、着色剤、紫外線吸収剤、光安定剤、酸化防止剤および難燃剤よりなる成分群からの少なくとも１種の成分を混練器または押し出し器の中で混合してポリエステルマトリックス中に該架橋結合されていないランダムＳＡＮ−重合体を含んでなる混合物を製造し、ｉｉ）段階ｉ）で製造された混合物を厚いフィルムに形成し、引き続きクエンチし、そしてｉｉｉ）該厚いフィルムを＞２．５Ｎ／ｍｍ2の延伸張力において該ＳＡＮ−重合体のガラス転移温度と該線状ポリエステルのガラス転移温度との間の温度において最初の長さの少なくとも２倍に延伸する段階を含んでなり、ここで該ポリエステルマトリックス対該架橋結合されていないランダムＳＡＮ−重合体の重量比が２．０：１〜１９．０：１の範囲内であり、そして該少なくとも１種の脂肪族ジメチレン単量体単位の１種が全ての脂肪族ジメチレン単量体単位の３０モル％もしくはそれより少ない濃度のネオペンチレンおよび１，４−シクロヘキサンジメチレンよりなる群から選択される方法。
【請求項５】
請求項１に記載の非透明な微孔形成された軸延伸されたフィルムに対する、場合により圧力の適用により補助されていてもよい、熱の像通りの適用の段階を含んでなる透明なパターンを得る方法。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
非透明な微孔形成された二軸延伸された自己支持性の積層されていない重合体状フィルムであって、連続相としての線状ポリエステル、並びに、その内部に均一に分散された、該連続相のガラス転移温度より高いガラス転移温度を有する少なくとも１つの連鎖重合されたブロックを含んでなる非晶質高重合体およびアイソタクチックポリ（４−メチル−１−ペンテン）を含んでなり、ここで該線状ポリエステルが芳香族ジカルボキシレートおよび脂肪族ジメチレン単量体単位より本質的になり、ここで該フィルム中の該均一に分散された非晶質高重合体およびアイソタクチックポリ（４−メチル−１−ペンテン）の合計濃度が５〜３５重量％である重合体状フィルム。
【請求項２】
少なくとも１つの連鎖重合されたブロックを含んでなる該非晶質高重合体がポリスチレン、スチレン共重合体、ＳＡＮ−重合体、ポリアクリレート類、アクリレート−共重合体、ポリメタクリレート類およびメタクリレート−共重合体よりなる群から選択される、請求項１に記載の重合体状フィルム。
【請求項３】
合成紙中での請求項１〜２のいずれかに記載の非透明な微孔形成された二軸延伸されたフィルムの使用。
【請求項４】
請求項１〜３のいずれかに記載の非透明な微孔形成された二軸延伸されたフィルムを含んでなる像記録要素。
【請求項５】
請求項１〜４のいずれかに記載の非透明な微孔形成された二軸延伸されたフィルムに対する、場合により圧力の適用により補助されていてもよい、熱の像通りの適用の段階を含んでなる透明なパターンを製造する方法。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010522711.tif 000001
［式中：
Ｒ１は、Ｃ１−６アルキル、Ｃ２−６アルケニル、Ｃ２−６アルキニル、Ｃ３−６シクロアルキル、Ｃ３−６シクロアルキルメチル−、ピリジニルメチル−またはベンジル（そのいずれかは、１、２または３個のハロゲン原子で置換されていてもよい）、あるいは置換されていないフェニルを示し；
Ｒ２およびＲ３は、独立して、水素、Ｃ１−６アルキル、Ｃ６−１０アリールメチル−またはＣ３−６シクロアルキルメチル−を示し、該Ｃ１−６アルキル、Ｃ６−１０アリールメチル−またはＣ３−６シクロアルキルメチル−のいずれかは、１、２または３個のハロゲン原子で置換されていてもよく；
Ｒ４、Ｒ５、Ｒ６、Ｒ７、およびＲ８は、独立して、水素、フッ素またはメチルを示し；および
Ｒ９、Ｒ１０、Ｒ１１、Ｒ１２およびＲ１３は、独立して、水素、ハロゲン、シアノ、Ｃ１−６アルキル、Ｃ２−６アルケニル、Ｃ２−６アルキニル、Ｃ３−６シクロアルキルまたはフェニルを示し、該Ｃ１−６アルキル、Ｃ２−６アルケニル、Ｃ２−６アルキニル、Ｃ３−６シクロアルキルまたはフェニルのいずれかは、１、２または３個のハロゲン原子で置換されていてもよく、あるいはＲ１２およびＲ１３は、それらが結合する炭素原子と一緒になって、１、２または３個のハロゲン原子で置換されていてもよいベンゼン環を形成し；
ただし、Ｒ９およびＲ１３の両方が水素またはフッ素から選択される場合、Ｒ１０、Ｒ１１およびＲ１２の少なくとも１つはハロゲン原子である］
で示される化合物またはその医薬上許容される塩。
【請求項２】
Ｒ１が、置換されていないＣ１−６アルキルまたはＣ３−６シクロアルキル、あるいは１、２または３個のハロゲン原子で置換されていてもよいベンジルを示す、請求項１記載の化合物または塩。
【請求項３】
Ｒ１がメチルまたはエチルを示す、請求項１記載の化合物または塩。
【請求項４】
Ｒ２、Ｒ３、Ｒ４、Ｒ５、Ｒ６およびＲ７の全てが水素を示す、請求項１、２または３記載の化合物または塩。
【請求項５】
Ｒ８が水素を示す、請求項１、２、３または４記載の化合物または塩。
【請求項６】
Ｒ９、Ｒ１０、Ｒ１１、Ｒ１２およびＲ１３が、独立して、水素、ハロゲン、メチルまたはトリフルオロメチルを示す、請求項１、２、３、４または５記載の化合物または塩。
【請求項７】
Ｒ１が置換されていないＣ１−６アルキルまたはＣ３−６シクロアルキル、あるいは１、２または３個のハロゲン原子で置換されていてもよいベンジルを示し；
Ｒ２、Ｒ３、Ｒ４、Ｒ５、Ｒ６およびＲ７の全てが水素を示し；
Ｒ８が水素またはメチルを示し；および
Ｒ９、Ｒ１０、Ｒ１１、Ｒ１２およびＲ１３が、独立して、水素、塩素、フッ素、臭素、メチルまたはトリフルオロメチルを示す、請求項１記載の化合物または塩。
【請求項８】
Ｒ１がメチルまたはエチルを示し；
Ｒ２、Ｒ３、Ｒ４、Ｒ５、Ｒ６およびＲ７の全てが水素を示し；
Ｒ８が水素を示し；および
Ｒ９、Ｒ１０、Ｒ１１、Ｒ１２およびＲ１３が、独立して、水素、塩素、フッ素、臭素、メチルまたはトリフルオロメチルを示す、請求項７記載の化合物または塩。
【請求項９】
Ｒ９、Ｒ１０およびＲ１１が水素であり、Ｒ１２がトリフルオロメチルであり、Ｒ１３が塩素であるか、または
Ｒ９、Ｒ１０およびＲ１２が水素であり、Ｒ１１およびＲ１３が塩素であるか、または
Ｒ９、Ｒ１０およびＲ１２が水素であり、Ｒ１１がフッ素であり、Ｒ１３が塩素であるか、または
Ｒ９およびＲ１０が水素であり、Ｒ１１、Ｒ１２およびＲ１３がフッ素である、請求項８記載の化合物または塩。
【請求項１０】
【表１−１】
2010522711.tif 000002
【表１−２】
2010522711.tif 000003
【表１−３】
2010522711.tif 000004
から選択される化合物またはその医薬上許容される塩。
【請求項１１】
Ｎ−｛［２−クロロ−３−（トリフルオロメチル）フェニル］メチル｝−１−エチル−６−オキソ−２−ピペリジンカルボキサミド（
【化２】
2010522711.tif 000005
）、
Ｎ−［（２，４−ジクロロフェニル）メチル］−１−メチル−６−オキソ−２−ピペリジンカルボキサミド（
【化３】
2010522711.tif 000006
）、
Ｎ−｛［２−クロロ−３−（トリフルオロメチル）フェニル］メチル｝−１−メチル−６−オキソ−２−ピペリジンカルボキサミド（
【化４】
2010522711.tif 000007
）、または
Ｎ−［（２，４−ジクロロフェニル）メチル］−１−エチル−６−オキソ−２−ピペリジンカルボキサミド（
【化５】
2010522711.tif 000008
）。
【請求項１２】
請求項１ないし１１のいずれか１項に記載の、式（Ｉ）の化合物またはその医薬上許容される塩を含む、疼痛、炎症または神経変性疾患の治療に用いるための医薬組成物。
【請求項１３】
式（Ｉ）の化合物またはその医薬上許容される塩とさらなる治療剤とを組み合わせて含む、請求項１２記載の組成物。
【請求項１４】
医薬として用いる、請求項１ないし１１のいずれか１項に記載の化合物またはその医薬上許容される塩。
【請求項１５】
疼痛、炎症または神経変性疾患の治療または予防に用いる、請求項１ないし１１のいずれか１項に記載の式（Ｉ）の化合物またはその医薬上許容される塩。
【請求項１６】
疼痛が、炎症性疼痛、神経因性疼痛または内臓痛である、請求項１５記載の式（Ｉ）の化合物またはその医薬上許容される塩。
【請求項１７】
神経変性疾患が、老人性認知症、レビィー小体認知症、アルツハイマー病、ピック病、ハンチントン舞踏病、パーキンソン病およびクロイツフェルト・ヤコブ病、筋萎縮性側索硬化症（ＡＬＳ）および運動ニューロン疾患を含む、変性認知症；多発脳梗塞性認知症を含む、血管性認知症；または加齢に伴う軽度認知機能障害を含む、軽度認知機能障害である、請求項１５記載の式（Ｉ）の化合物またはその医薬上許容される塩。
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
局所鎮痛、局所麻酔又は神経ブロックを必要とするヒト又は動物における部位にて、局所鎮痛、局所麻酔又は神経ブロックを提供するためのドラッグデリバリーデバイスであって、該デバイスは、繊維状コラーゲンマトリックス；並びにアミノアミド型麻酔薬、アミノエステル型麻酔薬及びこれらの混合物からなる群から選択される少なくとも１つの製剤原料を含み、該少なくとも１つの製剤原料は、コラーゲンマトリックス中で実質的に均一に分散しており、かつ投与後少なくとも約１日持続する局所鎮痛、局所麻酔又は神経ブロックの持続時間を提供するのに十分な量にて存在している、ドラッグデリバリーデバイス。
【請求項２】
前記少なくとも１つの製剤原料が、投与後少なくとも約２日間持続する局所鎮痛、局所麻酔又は神経ブロックの持続時間を提供するのに十分な量にて存在する、請求項１に記載のドラッグデリバリーデバイス。
【請求項３】
前記少なくとも１つの製剤原料が、投与後少なくとも約３日間持続する局所鎮痛、局所麻酔又は神経ブロックの持続時間を提供するのに十分な量にて存在する、請求項１又は２に記載のドラッグデリバリーデバイス。
【請求項４】
前記少なくとも１つの製剤原料が、ブピバカイン、レボブピバカイン、リドカイン、メピバカイン、プリロカイン、ロピバカイン、アルチカイン、トリメカイン並びにそれらの塩及びプロドラッグを含む群から選択されるアミノアミド型麻酔薬である、請求項１から３のいずれか１項に記載のドラッグデリバリーデバイス。
【請求項５】
前記少なくとも１つの製剤原料が、ブピバカイン並びにその塩及びプロドラッグから選択されるアミノアミド型麻酔薬である、請求項１から３のいずれか１項に記載のドラッグデリバリーデバイス。
【請求項６】
前記繊維状コラーゲンマトリックスがＩ型コラーゲンマトリックスである、請求項１から５のいずれか１項に記載のドラッグデリバリーデバイス。
【請求項７】
前記繊維状コラーゲンマトリックスがＩ型コラーゲンマトリックスであり、かつ前記少なくとも１つの製剤原料が、ブピバカイン並びにその塩及びプロドラッグから選択されるアミノアミド型麻酔薬である、請求項１から４のいずれか１項に記載のドラッグデリバリーデバイス。
【請求項８】
前記ドラッグデリバリーデバイスが複数のコラーゲンスポンジを含み、各コラーゲンスポンジが、約３．６ｍｇ／ｃｍ３から約８．０ｍｇ／ｃｍ３のＩ型コラーゲン及び約２．０ｍｇ／ｃｍ３から約６．０ｍｇ／ｃｍ３の塩酸ブピバカインを含む、請求項７に記載のドラッグデリバリーデバイス。
【請求項９】
前記ドラッグデリバリーデバイスが複数のコラーゲンスポンジを含み、各コラーゲンスポンジが、約５．６ｍｇ／ｃｍ３のＩ型コラーゲン及び約４．０ｍｇ／ｃｍ３の塩酸ブピバカインを含む、請求項７又は８に記載のドラッグデリバリーデバイス。
【請求項１０】
開腹術の後のヒトにおいて、局所鎮痛、局所麻酔又は神経ブロックを提供するためのものである、請求項１から９のいずれか１項に記載のデバイス。
【請求項１１】
整形外科手術、腹部手術、婦人科手術又は胸部外科手術手順の後のヒトにおいて、局所鎮痛、局所麻酔又は神経ブロックを提供するためのものである、請求項１から９のいずれか１項に記載のデバイス。
【請求項１２】
良性の腹部又は胸部外科手術手順の後のヒトにおいて、局所鎮痛、局所麻酔又は神経ブロックを提供するためのものである、請求項１１に記載のデバイス。
【請求項１３】
腹式子宮摘出術、筋腫摘出術及び付属器の外科手術の後のヒトにおいて、局所鎮痛、局所麻酔又は神経ブロックを提供するためのものである、請求項１２に記載のデバイス。
【請求項１４】
前記ドラッグデリバリーデバイスが複数のコラーゲンスポンジを含み、ここで少なくとも１スポンジが、外科手術部位に隣接して配置され、少なくとも１スポンジが体腔壁における切開にわたって配置され、かつ少なくとも１スポンジが切開周辺の鞘と皮膚の間に配置される、請求項１から１３のいずれか１項に記載のデバイス。
【請求項１５】
局所鎮痛、局所麻酔又は神経ブロックを必要とするヒト又は動物において局所鎮痛、局所麻酔又は神経ブロックを提供するための医薬であって、請求項１から１４のいずれか１項に記載のデバイスを含む、医薬。
【請求項１６】
前記ドラッグデリバリーデバイスが複数のコラーゲンスポンジを含み、ここで少なくとも１スポンジが、外科手術部位に隣接して配置され、少なくとも１スポンジが体腔壁における切開にわたって配置され、かつ少なくとも１スポンジが切開周辺の鞘と皮膚の間に配置される、請求項１５に記載の医薬。
【請求項１７】
局所鎮痛、局所麻酔又は神経ブロックを必要とするヒト又は動物において局所鎮痛、局所麻酔又は神経ブロックを提供するための医薬を製造するための、繊維状コラーゲンマトリックス；並びにアミノアミド型麻酔薬、アミノエステル型麻酔薬及びこれらの混合物からなる群から選択される少なくとも１つの製剤原料を含む、ドラッグデリバリーシステムの使用であって、該少なくとも１つの製剤原料は、コラーゲンマトリックス中で実質的に均一に分散しており、かつ投与後少なくとも約１日持続する局所鎮痛、局所麻酔又は神経ブロックの持続時間を提供するのに十分な量にて存在しており、該医薬は、局所鎮痛、局所麻酔又は神経ブロックを必要とするヒト又は動物における部位に投与されるものである、使用。
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
非水溶性残渣を実質的に含まず、有効なα１アドレナリン受容体遮断活性を示す、Opuntia ficus-indica花の水溶性アルコール抽出物（ＮＡＢＩＡ抽出物）、その成分（ＮＡＢＩＡ分画）、又はその成分のあらゆる組合せであって、その５０ｇの試料へ５０ｍｌの水を加え、それらを室温で少なくとも２時間混合して、入手した溶液を混合の開始より２４時間観察するときに澄明な水溶液を生成する、前記抽出物。
【請求項２】
１０６ｎｇ／ｍｌ未満であるα１ブロッカー半数阻害濃度（α１  ＩＣ５０）を特徴とする、請求項１の抽出物。
【請求項３】
α１Ａ（α１Ａ）、α１Ｂ（α１Ｂ）、又はα１Ｄ（α１Ｄ）アドレナリン受容体のいずれかに選択的なα１遮断活性を示す、請求項１〜２のいずれかの抽出物。
【請求項４】
５αレダクターゼ阻害活性をさらに示す、請求項１〜３のいずれかの抽出物。
【請求項５】
請求項１〜４のいずれかの抽出物と医薬的に許容される担体を含んでなる植物療法（phytotherapeutical）製剤。
【請求項６】
前記担体が固体担体である、請求項５の植物療法製剤。
【請求項７】
前記固体担体が、マルトデキストリン、デキストリン、二酸化シリコン、デンプン、ゴム、及びハイドロコロイドからなる群より選択される、請求項６の植物療法製剤。
【請求項８】
少なくとも１つの医薬的に許容される添加剤、及び／又は少なくとも１つの植物療法的に許容される添加剤をさらに含んでなる、請求項５〜７のいずれかの植物療法製剤。
【請求項９】
包装材料に包装されて、前記包装材料の中又は上の印字で尿路障害（ＵＴＤ）の治療及び／又は予防における使用、及び／又は非選択的α１アドレナリン受容体活性を阻害することにおける使用、及び／又はα１Ａ（α１Ａ）、α１Ｂ（α１Ｂ）、又はα１Ｄ（α１Ｄ）アドレナリン受容体のいずれにも選択的な阻害における使用、及び／又は５αレダクターゼ酵素活性を阻害することにおける使用が特定される、請求項１〜４のいずれかの抽出物又は請求項５〜８のいずれかの植物療法製剤。
【請求項１０】
治療活性剤及び／又は植物療法活性剤をさらに含んでなる、請求項１〜４のいずれかの抽出物又は請求項５〜８のいずれかの植物療法製剤。
【請求項１１】
請求項１〜４のいずれかの抽出物又は請求項５〜８のいずれかの製剤の、尿路障害（ＵＴＤ）の治療及び／又は予防用医薬品の製造における使用。
【請求項１２】
前記ＵＴＤが、下部尿路症候群（ＬＵＴＳ）及び良性前立腺肥大症（ＢＰＨ）からなる群より選択される、請求項１１の使用。
【請求項１３】
請求項１〜４のいずれかの抽出物又は請求項５〜８のいずれかの製剤の、α１アドレナリン受容体活性を阻害するための医薬品の製造における使用。
【請求項１４】
請求項１〜４のいずれかの Opuntia ficus-indica 花の澄明な水溶性アルコール抽出物（ＮＡＢＩＡ抽出物）を調製するための方法であって：
ａ）自然乾燥の Opuntia ficus-indica（ＯＦＩ）花を入手する工程；
ｂ）前記ＯＦＩ花を破砕及び粉砕してＯＦＩ花の粉末を入手する工程；
ｃ）前記粉末をアルコール溶媒中に室温で抽出して、一次抽出物を含有する一次抽出溶液と使用済み（exhausted）花を入手する工程；
ｄ）前記使用済み花を前記一次抽出物より分離させる工程；
ｅ）前記一次抽出溶液よりあらゆるアルコール溶媒を蒸発させて二次抽出物を入手する工程；
ｆ）前記二次抽出物へ水を加える工程；
ｇ）８０℃以上まで加熱する工程；
ｈ）一晩の冷却下で実施する、前記二次抽出物よりあらゆる非水溶性残渣を沈殿させる工程；及び
ｉ）前記二次抽出物より前記非水溶性残渣を分離させて、あらゆる非水溶性残渣を実質的に含まない、Opuntia ficus-indica 花の澄明な水溶性アルコール抽出物（ＮＡＢＩＡ抽出物）を入手する工程を含んでなる、前記方法。
【請求項１５】
請求項１〜４のいずれかの抽出物へ担体を加えることを含んでなる、請求項５〜８のいずれかの製剤を調製するための方法。
【請求項１６】
少なくとも１つの医薬的に許容される添加剤、及び／又は少なくとも１つの治療活性剤、及び／又は少なくとも１つの植物療法活性剤を加えることをさらに含んでなる、請求項１５の方法。
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
酵素成分、フェニルボロン酸成分又はその誘導体、及び溶解した塩成分を含む液体組成物であり、当該塩成分が、塩化物、硫酸塩、硝酸塩又は酢酸塩であるアニオンを含み、及び当該塩成分の含有量が、組成物全体の０．５〜１０重量％である、前記組成物。
【請求項２】
前記酵素成分がプロテアーゼである、請求項１に記載の液体組成物。
【請求項３】
前記プロテアーゼがセリンプロテアーゼである、請求項２に記載の液体組成物。
【請求項４】
前記フェニルボロン酸又はその誘導体が、
【化１】
2010522791.tif 000001
[式中、
Rは水素、ヒドロキシ、C1〜C6アルキル、置換されたC1〜C6アルキル、C1〜C6アルケニル及び置換されたC1〜C6アルケニルからなる群から選択される］
で表される、請求項１又は２に記載の液体組成物。
【請求項５】
前記塩成分が１つ以上のカチオンを含み、その１つ以上のカチオンが、Ca、Mg、Zn、Na、K又はNH4、及びそれらの組合せを含む、請求項１〜４のいずれか１項に記載の液体組成物。
【請求項６】
前記塩成分が、Ca、Mg、Zn、Na、K又はNH4、及びそれらの組合せからなる群から選択される１つ以上のカチオンを含む、請求項１〜５のいずれか１項に記載の液体組成物。
【請求項７】
前記塩成分が、Zn、Mg、NH4、及びそれらの組合せからなる群から選択される１つ以上のカチオンを含む、請求項１〜６のいずれか1項に記載の液体組成物。
【請求項８】
請求項１〜７のいずれか１項に記載の液体組成物を製造するプロセスであり：
a) 液体を提供し；
b) a)の液体に前記水溶性の塩を添加し；
c) a)に前記酵素及び前記フェニルボロン酸又はそれらの誘導体を、b)と同時に、又はb)の後に添加し；そして
d) その組成物を混合させる工程を含む前記プロセス。
【請求項９】
対象を洗浄するための、請求項１〜７のいずれか１項に記載の組成物の使用。
【請求項１０】
液体組成物におけるフェニルボロン酸又はその誘導体の阻害剤作用を促進させるための塩の使用であり、当該塩が、塩化物、硫酸塩、硝酸塩又は酢酸塩であるアニオンを含み、及び当該塩成分の含有量が、組成物全体の０．５〜１０重量％である、前記組成物。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
２５℃で３０ｍＰａｓ以下の粘度を有する、水および揮発性有機溶媒を実質的に含まない放射線硬化性インクジェットインクであって、
１０から２５重量％までである環状単官能性（メタ）アクリレートモノマーを含む少なくとも２つの単官能性（メタ）アクリレートモノマーおよび５から１５重量％までである２−（２−エトキシエトキシ）エチルアクリレート；
Ｎ−ビニルアミド、Ｎ−アクリロイルアミンまたはそれらの混合物から選択される、１０から２５重量％までである単官能性モノマー；
５から１５重量％までである多官能性（メタ）アクリレートモノマー；
５から３５重量％までである重合性（メタ）アクリレートオリゴマー；
ラジカル光開始剤；および
着色剤
を含む、ここで重量パーセントはインクの合計重量に基づく、インク。
【請求項２】
少なくとも２つの単官能性（メタ）アクリレートモノマーおよびＮ−ビニルアミド、Ｎ−アクリロイルアミンまたはそれらの混合物から選択される少なくとも１つの単官能性モノマーの合計量が、インクの合計重量に基づいて少なくとも２５重量％である、請求項１に記載のインクジェットインク。
【請求項３】
環状単官能性（メタ）アクリレートモノマーが、フェノキシエチルアクリレート（ＰＥＡ）、環状ＴＭＰホルマールアクリレート（ＣＴＦＡ）、イソボルニルアクリレート（ＩＢＯＡ）、テトラヒドロフルフリルアクリレート（ＴＨＦＡ）およびそれらの混合物から選択される、請求項１または２記載のインクジェットインク。
【請求項４】
環状単官能性（メタ）アクリレートモノマーが、フェノキシエチルアクリレート（ＰＥＡ）である、請求項３に記載のインクジェットインク。
【請求項５】
Ｎ−ビニルアミド、Ｎ−アクリロイルアミンまたはそれらの混合物から選択されるモノマーが、Ｎ−ビニルカプロラクタム（ＮＶＣ）、Ｎ−ビニルピロリドン（ＮＶＰ）、Ｎ−アクリロイルモルホリン（ＡＣＭＯ）およびそれらの混合物から選択される、請求項１から４のいずれかに記載のインクジェットインク。
【請求項６】
多官能性（メタ）アクリレートモノマーが、二官能性モノマーである、請求項１から５のいずれかに記載のインクジェットインク。
【請求項７】
重合性（メタ）アクリレートオリゴマーが、４５０から４，０００までの分子量を有する、請求項１から６のいずれかに記載のインクジェットインク。
【請求項８】
重合性（メタ）アクリレートオリゴマーが、２から６までの官能度を有する、請求項１から７のいずれかに記載のインクジェットインク。
【請求項９】
該インクが非環式炭化水素単官能性（メタ）アクリレートモノマーを実質的に含まない、請求項１から８のいずれかに記載のインクジェットインク。
【請求項１０】
オープンリール式インクジェット印刷方法であって、請求項１から９のいずれかに記載のインクジェットインクを基材に印刷するステップと、該基材を基材リールから受けリールに移動させるとき該インクを硬化するステップとを含む方法。
【請求項１１】
インクジェット印刷方法であって、複数の基材を含むインクジェットプリンターを準備するステップと、請求項１から９のいずれかに記載のインクジェットインクを複数の前記基材に印刷するステップと、それぞれの前記基材上の前記インクを硬化して印刷した基材を生産するステップと、前記印刷した基材を積み重ねるステップとを含む方法。
【請求項１２】
プリンターが、その中に保持されている複数の基材を有する基材貯蔵設備を含む、請求項１１に記載の方法。
【請求項１３】
プリンターが、フラットベッドインクジェットプリンターである、請求項１１に記載の方法。
【請求項１４】
基材が、ポリオレフィン基材である、請求項１０から１２のいずれかに記載の方法。
【請求項１５】
請求項１から９のいずれかに記載のインクジェットインクがそこに印刷されている基材。
【請求項１６】
ポリオレフィン基材である、請求項１５に記載の基材。
【請求項１７】
請求項１から９のいずれかに記載のインクジェットインクの使用であって、ブロッキングを引き起こす傾向のある用途における使用。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
植物起源の天然産物中に存在するアントシアニン類の改質着色剤を含む、青色の色相を有する着色組成物。
【請求項２】
植物起源の天然産物が赤キャベツである、請求項１に記載の着色組成物。
【請求項３】
組成物の青色の色相が、Ｌを６５±０．５に設定し、２０℃においてｐＨ３．００±０．０５に緩衝した水溶液中で測定を行う「１９７６ＣＩＥＬ＊ａ＊ｂ＊」モデルにおけるｂ＊の値が−２５未満になるようなものである、請求項２に記載の着色組成物。
【請求項４】
植物起源の天然産物が紫ニンジンである、請求項１に記載の着色組成物。
【請求項５】
組成物の青色の色相が、Ｌを６５±０．５に設定し、２０℃においてｐＨ３．００±０．０５に緩衝した水溶液中で測定を行う「１９７６ＣＩＥＬ＊ａ＊ｂ＊」モデルにおけるｂ＊の値が４未満になるようなものである、請求項４に記載の着色組成物。
【請求項６】
植物起源の天然産物がニワトコの実である、請求項１に記載の着色組成物。
【請求項７】
組成物の青色の色相が、Ｌを６５±０．５に設定し、２０℃においてｐＨ３．００±０．０５に緩衝した水溶液中で測定を行う「１９７６ＣＩＥＬ＊ａ＊ｂ＊」モデルにおけるｂ＊の値が５未満になるようなものである、請求項６に記載の着色組成物。
【請求項８】
植物起源の天然産物中に存在するアントシアニン類の着色の深色修正のための方法において、上記アントシアニン類を少なくとも１種のアルデヒドと反応させることを特徴とする、方法。
【請求項９】
植物起源の天然産物が、下式（Ｉ）
【化１】
2010522794.tif 000001
（式中、Ｒ３’、Ｒ４’及びＲ５’は独立にＨ、ＯＨ又はＯＣＨ３であり、Ｒ３及びＲ５は独立にＨ又はアセチル化された若しくはアセチル化されていないグリコシドである）のアントシアニン類を含む、請求項８に記載の方法。
【請求項１０】
Ｌを６５±０．５に設定し、２０℃においてｐＨ３．００±０．０５に緩衝した水溶液中で測定を行う「１９７６ＣＩＥＬ＊ａ＊ｂ＊」モデル系において、深色修正により、未修飾アントシアニンと比較して、修飾アントシアニンにおいて少なくとも５単位のｂ＊の低減が可能になる、請求項８又は９に記載の方法。
【請求項１１】
フラボノイド類、桂皮酸類又はフロロタンニン類の少なくとも１種のポリフェノールが添加される、請求項８から１０までのいずれか一項に記載の方法。
【請求項１２】
植物起源の天然産物が赤キャベツ、紫ニンジン又はニワトコの実である、請求項８から１１までのいずれか一項に記載の方法。
【請求項１３】
食料製品の製造過程における添加剤又は成分としての、請求項１から７までのいずれか一項に記載の組成物の使用。
【請求項１４】
ケーキ及びクッキー用の詰め物を着色するための、請求項１から７までのいずれか一項に記載の組成物の使用。
【請求項１５】
乳製品を着色するための、請求項１から７までのいずれか一項に記載の組成物の使用。
【請求項１６】
飲料を着色するための、請求項１から７までのいずれか一項に記載の組成物の使用。
【請求項１７】
菓子製品を着色するための、請求項１から７までのいずれか一項に記載の組成物の使用。
【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010522709.tif 000001
（Ｉ）
［式中：
Ｒ１は、Ｃ１−６アルキル、Ｃ２−６アルケニル、Ｃ２−６アルキニル、Ｃ３−６シクロアルキル、Ｃ３−６シクロアルキルメチル−またはピリジニルメチル−（これらはいずれも、１、２または３個のハロゲン原子により置換されていてもよい）；または非置換フェニルまたはベンジルを意味し；
Ｒ２は、水素、ハロゲン、Ｃ１−６アルキル、Ｃ６−１０アリールメチル−、Ｃ２−６アルケニル、Ｃ２−６アルキニルまたはＣ３−６シクロアルキルメチル−を意味し、該Ｃ１−６アルキル、Ｃ６−１０アリールメチル−、Ｃ２−６アルケニル、Ｃ２−６アルキニルまたはＣ３−６シクロアルキルメチル−はいずれも、１、２または３個のハロゲン原子により置換されていてもよく；
Ｒ３は、水素、フッ素またはメチルを意味し；
あるいは、Ｒ２およびＲ３は、それらが結合している炭素原子と一緒になって、Ｃ１−６アルキル、Ｃ２−６アルケニルおよびＣ２−６アルキニルからなる群から選択される、同じでも異なっていてもよい、１、２または３個の置換基により置換されていてもよいベンゼン環を形成し；
Ｒ４は、水素、フッ素またはメチルを意味し；
Ｒ５、Ｒ６、Ｒ７、Ｒ８およびＲ９は、独立して、水素、ハロゲン、シアノ、Ｃ１−６アルキル、Ｃ２−６アルケニル、Ｃ２−６アルキニル、Ｃ３−６シクロアルキルまたはフェニルを意味し、該Ｃ１−６アルキル、Ｃ２−６アルケニル、Ｃ２−６アルキニル、Ｃ３−６シクロアルキルまたはフェニルはいずれも、１、２または３個のハロゲン原子により置換されていてもよく；またはＲ８およびＲ９は、それらが結合している炭素原子と一緒になって、１、２または３個のハロゲン原子により置換されていてもよいベンゼン環を形成する：
ただし、Ｒ５およびＲ９が、両方とも、水素またはフッ素から選択される場合、少なくとも１つのＲ６、Ｒ７およびＲ８は、ハロゲン原子である］
で示される化合物またはその医薬上許容される塩。
【請求項２】
Ｒ１が、非置換Ｃ１−４アルキル、Ｃ３−５シクロアルキル、ピリジニルメチル−、フェニルまたはベンジルである、請求項１記載の化合物または塩。
【請求項３】
Ｒ１が、メチルまたはエチルである、請求項１記載の化合物または塩。
【請求項４】
Ｒ２が水素またはメチルであり、Ｒ３が水素またはメチルであるか；
あるいは、Ｒ２およびＲ３が、それらが結合している炭素原子と一緒になって、非置換ベンゼン環を形成する、請求項１、２、または３記載の化合物または塩。
【請求項５】
Ｒ４が水素またはメチルである、請求項１〜４いずれか一項記載の化合物または塩。
【請求項６】
Ｒ５、Ｒ６、Ｒ７、Ｒ８およびＲ９が、独立して、水素、ハロゲン、シアノ、トリフルオロメチルまたは非置換Ｃ１−６アルキルであるか；または、Ｒ８およびＲ９が、それらが結合している炭素原子と一緒になって、非置換ベンゼン環を形成する、上記請求項いずれか一項記載の化合物または塩。
【請求項７】
１−シクロプロピル−Ｎ−［（２，４−ジクロロフェニル）メチル］−３−メチル−５−オキソ−２，５−ジヒドロ−１Ｈ−ピロール−２−カルボキサミド；
Ｎ−［（２，４−ジクロロフェニル）メチル］−２−エチル−３−オキソ−２，３−ジヒドロ−１Ｈ−イソインドール−１−カルボキサミド；
Ｎ−［（２−クロロ−４−フルオロフェニル）メチル］−２−エチル−３−オキソ−２，３−ジヒドロ−１Ｈ−イソインドール−１−カルボキサミド；
Ｎ−｛［２−クロロ−３−（トリフルオロメチル）フェニル］メチル｝−２−エチル−３−オキソ−２，３−ジヒドロ−１Ｈ−イソインドール−１−カルボキサミド；
Ｎ−［（２，４−ジクロロフェニル）メチル］−２−メチル−３−オキソ−２，３−ジヒドロ−１Ｈ−イソインドール−１−カルボキサミド；
Ｎ−［（２−クロロ−４−フルオロフェニル）メチル］−２−メチル−３−オキソ−２，３−ジヒドロ−１Ｈ−イソインドール−１−カルボキサミド；および
Ｎ−｛［２−クロロ−３−（トリフルオロメチル）フェニル］メチル｝−２−メチル−３−オキソ−２，３−ジヒドロ−１Ｈ−イソインドール−１−カルボキサミド
から選択される化合物。
【請求項８】
Ｎ−｛［２−クロロ−３−（トリフルオロメチル）フェニル］メチル｝−２−エチル−３−オキソ−２，３−ジヒドロ−１Ｈ−イソインドール−１−カルボキサミド：
【化２】
2010522709.tif 000002
Ｎ−［（２，４−ジクロロフェニル）メチル］−２−メチル−３−オキソ−２，３−ジヒドロ−１Ｈ−イソインドール−１−カルボキサミド：
【化３】
2010522709.tif 000003
および
Ｎ−｛［２−クロロ−３−（トリフルオロメチル）フェニル］メチル｝−２−メチル−３−オキソ−２，３−ジヒドロ−１Ｈ−イソインドール−１−カルボキサミド：
【化４】
2010522709.tif 000004
から選択される化合物またはその医薬上許容される塩。
【請求項９】
上記請求項いずれか一項記載の化合物またはその医薬上許容される塩を含む、疼痛、炎症または神経変性疾患の治療または予防用医薬組成物。
【請求項１０】
上記請求項いずれか一項記載の化合物またはその医薬上許容される塩をさらなる治療剤と組み合わせて含む、請求項９記載の組成物。
【請求項１１】
治療において用いるための請求項１〜８いずれか一項記載の化合物またはその医薬上許容される塩。
【請求項１２】
疼痛、炎症または神経変性疾患の治療または予防において用いるための、請求項１〜８いずれか一項記載の化合物またはその医薬上許容される塩。
【請求項１３】
疼痛が、炎症性疼痛、神経因性疼痛または内臓痛である、請求項１２記載の化合物またはその医薬上許容される塩。
【請求項１４】
神経変性疾患が、老年性認知症、レヴィー小体に伴う認知症、アルツハイマー病、ピック病、ハンチントン舞踏病、パーキンソン病およびクロイツフェルト−ヤコブ病、筋萎縮性側索硬化症（ＡＬＳ）および運動ニューロン疾患を含む認知症；多発脳梗塞性認知症を含む血管性認知症；または加齢に付随する軽度認識障害を含む軽度認識障害である、請求項１２記載の化合物またはその医薬上許容される塩。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
式
【化１】
2010522758.tif 000001
の化合物であって、
式中、
Ｒｆは、フッ素含有基であり、
Ｒ１は、共有結合、多価アルキレン若しくはアリーレン基、又はこれらの組み合わせであり、該アルキレン基は、鎖中に１つ以上の酸素又は窒素原子を含有してもよく、
Ｒ２は、式
【化２】
2010522758.tif 000002
を有し、
式中、
Ｘ２は、−Ｏ−、−Ｓ−、又は−ＮＲ４−であり、Ｒ４は、Ｈ又はＣ１〜Ｃ４のアルキルであり、
Ｒ５は、Ｈ、Ｃ１〜Ｃ４のアルキル又は−ＣＨ２ＣＨ２−Ｃ（Ｏ）−Ｘ２−Ｒ６−Ｓｉ（Ｙｐ）（Ｒ７）３−ｐであり、
Ｒ６は、二価のアルキレン基であり、該アルキレン基は、鎖中に１つ以上の酸素原子を含有してもよく、
Ｙは、加水分解性基であり、
Ｒ７は、一価のアルキル又はアリール基であり、
ｐは、１、２、又は３であり、
ｘ及びｙは、それぞれ独立して、少なくとも１であり、ｚは１又は２である、化合物。
【請求項２】
Ｒｆが、式
【化３】
2010522758.tif 000003
を有し、式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−、又は−Ｓ−であり、Ｒ４は、Ｈ又はＣ１〜Ｃ４のアルキルであり、
ｚは１又は２である、請求項１に記載の化合物。
【請求項３】
Ｒｆが、一価のペルフルオロアルキル及びペルフルオロオキシアルキル基、並びに二価のペルフルオロアルキレン及びペルフルオロオキシアルキレン基から選択されるフッ素含有基を含む、請求項１に記載の化合物。
【請求項４】
Ｒｆ１が、式
Ｗ−Ｒｆ３−Ｏ−Ｒｆ４−（Ｒｆ５）ｑ−
の基を含み、
式中、
Ｗは、一価のペルフルオロオキシアルキルの場合、Ｆであり、二価のペルフルオロオキシアルキレンの場合、自由原子価（「−」）であり、
Ｒｆ３は、ペルフルオロアルキレン基を表し、
Ｒｆ４は、１、２、３若しくは４個の炭素原子を有するペルフルオロオキシアルキレン基又はこのようなペルフルオロオキシアルキレン基の組み合わせからなるペルフルオロアルキレンオキシ基を表し、
Ｒｆ５は、ペルフルオロアルキレン基を表し、
ｑは０又は１である、請求項２に記載の化合物。
【請求項５】
シラン基対Ｒｆ基のモル比が１：１より大きい、請求項２に記載の化合物。
【請求項６】
式
【化４】
2010522758.tif 000004
のフッ素含有アミンから誘導される、請求項１に記載の化合物であって、式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−、又は−Ｓ−であり、式中、Ｒ４は、Ｈ又はＣ１〜Ｃ４のアルキルであり、
Ｒ１は、共有結合、多価アルキレン若しくはアリーレン基、又はこれらの組み合わせであり、該アルキレン基は、鎖中に１つ以上の酸素又は窒素原子を含有してもよく、
Ｒ５は、Ｃ１〜Ｃ４のアルキル、又は（Ｒｆ）ｘ−Ｘ２−Ｃ（Ｏ）−ＣＨ２ＣＨ２−であり、
ｚは１又は２である、化合物。
【請求項７】
式
【化５】
2010522758.tif 000005
のアクリロイルシランから誘導される、請求項１に記載の化合物であって、式中、
Ｒ６は、二価又は多価のアルキレン基であり、該アルキレン基は、鎖中に１つ以上の酸素又は窒素原子、及び１つ以上のエステル、アミド、尿素又はカルバメート連結を含有してもよく、
Ｘ２は、−Ｏ−、−ＮＲ４−又は−Ｓ−であり、式中、Ｒ４は、Ｈ又はＣ１〜Ｃ４のアルキルであり、
Ｙは、加水分解性基であり、
Ｒ７は、一価のアルキル又はアリール基であり、
ｙは１〜４であり、
ｐは、１、２、又は３である、化合物。
【請求項８】
請求項１〜７のいずれか一項に記載の化合物の少なくとも１つ及び溶媒を含む、コーティング組成物。
【請求項９】
式
【化６】
2010522758.tif 000006
の、請求項１に記載の化合物であって、
式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−又は−Ｓ−であり、式中、Ｒ４は、Ｈ又はＣ１〜Ｃ４のアルキルであり、
Ｒ５は、Ｃ１〜Ｃ４のアルキル、又は−ＣＨ２ＣＨ２Ｃ（Ｏ）−Ｘ２−Ｒ６−Ｓｉ（Ｙｐ）（Ｒ７）３−ｐ若しくは（Ｒｆ）ｘ−Ｘ２−Ｃ（Ｏ）−ＣＨ２ＣＨ２−であり、
Ｒ６は、二価のアルキレン基であり、該アルキレン基は、鎖中に１つ以上の酸素原子を含有してもよく、
Ｙは、加水分解性基であり、
Ｒ７は、一価のアルキル又はアリール基であり、
ｐは、１、２、又は３であり、
ｚは１又は２である、化合物。
【請求項１０】
式
【化７】
2010522758.tif 000007
の、請求項１に記載の化合物であって、式中、
Ｒｆ１は、一価のペルフルオロアルキル若しくはペルフルオロオキシアルキル基、又は二価のペルフルオロアルキレン若しくはペルフルオロオキシアルキレン基であり、
各Ｒ８は、Ｈ、１〜４個の炭素原子を有するアルキル基、又は６〜１０個の炭素原子を有するアリール基を表し、
各Ｒ９は、独立して、２〜８個の炭素原子を有するアルキレン基を表し、
ｖは、少なくとも１であり、
ｚは１又は２であり、
各Ｒ１０は、独立して、Ｈ、１〜４個の炭素原子を有するアルキル基、又は６〜１０個の炭素原子を有するアリール基、Ｒｆ１−Ｃ（Ｏ）−若しくは−ＣＨ２ＣＨ２Ｃ（Ｏ）−Ｘ２−Ｒ６−Ｓｉ（Ｙ）ｐ（Ｒ７）３−ｐであり、式中、Ｘ２は、−Ｏ−、−ＮＲ４−又は−Ｓ−であり、Ｒ４は、Ｈ又はＣ１〜Ｃ４のアルキルであり、Ｒ６は二価のアルキレン基であり、該アルキレン基は、鎖中に１つ以上の酸素原子を含有してもよく、Ｙは、加水分解性基であり、Ｒ７は、一価のアルキル又はアリール基であり、ｐは、１、２、又は３であり、
ここで、化合物は、少なくとも１つのフッ素化基及び少なくとも１つのシラン基を含有する、化合物。
【請求項１１】
基材を請求項８のコーティング組成物と接触させる工程を含む、コーティング法。
【請求項１２】
請求項１に記載の化合物の硬化したコーティングを有する基材を含む、コーティングされた物品。
【請求項１３】
前記基材が、１つ以上の金属酸化物を有する金属酸化物膜の反射防止表面を含む反射防止基材である、請求項１２に記載のコーティングされた物品。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
Ｂ形態の化合物１であって：
【化１】
2010522756.tif 000001
式中、前記化合物は窒素について（Ｒ）立体配置であり、前記化合物はＡ形態の化合物１を実質的に含まない、前記化合物。
【請求項２】
Ｄ形態の化合物１であって：
【化２】
2010522756.tif 000002
式中、前記化合物は窒素について（Ｒ）立体配置である、前記化合物。
【請求項３】
Ｃ形態の化合物１であって：
【化３】
2010522756.tif 000003
式中、前記化合物は窒素について（Ｒ）立体配置である、前記化合物。
【請求項４】
Ａ形態およびＣ形態の化合物１の混合物を含む組成物であって：
【化４】
2010522756.tif 000004
式中、前記化合物は窒素について（Ｒ）立体配置である、前記組成物。
【請求項５】
非晶質の化合物１：
【化５】
2010522756.tif 000005
式中、前記化合物は窒素について（Ｒ）立体配置である、前記化合物。
【請求項６】
Ａ形態の化合物１であって：
【化６】
2010522756.tif 000006
式中、前記化合物は窒素について（Ｒ）立体配置であり、１または２以上のＣ形態、Ｄ形態、または非晶質の化合物１、および任意にＢ形態をさらに含む、前記化合物。
【請求項７】
Ｂ形態、Ｃ形態、Ｄ形態、および非晶質の化合物１の少なくとも２種を含む、組成物。
【請求項８】
（ａ）請求項６に記載の化合物；
（ｂ）請求項７に記載の組成物；または
（ｃ）Ｂ形態、Ｃ形態、Ｄ形態、および非晶質の化合物１の１種または２種以上、および任意に薬学的に許容し得る担体、アジュバント、またはビヒクル、
を含む、医薬組成物。
【請求項９】
請求項８に記載の医薬組成物を含む、経口製剤。
【請求項１０】
請求項８に記載の医薬組成物、キレート剤、および界面活性剤を含むコア；ならびに腸溶コーティングを含む、経口製剤。
【請求項１１】
請求項８に記載の医薬組成物を含む経口製剤であって、前記製剤が、化合物を少なくとも２つの独立した部分において送達すること、ここで第１部分は胃に送達され、第２部分は腸上部に送達され；
前記製剤が、請求項８に記載の医薬組成物を含むコア、ならびに前記組成物と粘膜付着放出制御剤とを含む粘膜付着コーティングを含み；
第１部分の胃への送達は、実質的に粘膜付着コーティングからであり、第２部分の腸への送達は、実質的にコアからのものである、前記経口製剤。
【請求項１２】
請求項８に記載の医薬組成物、キレート剤、および界面活性剤を含むコア；ならびに腸溶コーティングを含む、経口製剤。
【請求項１３】
オピオイド処置を受ける対象において、オピオイド療法の副作用を低減する方法であって、該対象に、請求項８に記載の医薬組成物を投与することを含む、前記方法。
【請求項１４】
対象において内因性オピオイド活性の作用を低減する方法であって、該対象に、請求項８に記載の医薬組成物の有効量を含む組成物を投与することを含む、前記方法。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
炭化水素流体の処理中に、前記炭化水素流体と接触する炭化水素処理装置の汚損を防ぐ方法であって、約１５０ないし約５，０００の数平均分子量を有する１又はそれ以上のＣ２−Ｃ１０オレフィンポリマを、１又はそれ以上のＣ４−Ｃ１０単不飽和ジカルボン酸誘導体と反応させることによって調製された、防汚有効量の１又はそれ以上の置換型オレフィンポリマを前記流体に添加するステップを含むことを特徴とする方法。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
実質的にしわのないテキスタイル表面を提供するために、布帛弛緩剤をテキスタイル表面に塗布する方法であって、該方法が：
（ａ）テキスタイル表面を湿らせる工程；
（ｂ）湿らせたテキスタイル表面上へ少なくとも１つの正電荷を持つ官能基を有する疎水性ポリジメチルシロキサンポリマーを含む布帛弛緩剤を塗布する工程；及び
（ｃ）湿らせたテキスタイル表面を蒸気によって乾燥する工程
を含む、方法。
【請求項２】
布帛弛緩剤が、少なくとも１つのアルコキシ基をさらに含む、請求項１に記載の方法。
【請求項３】
正電荷を持つ官能基の少なくとも１つが四級アンモニウム基である、請求項１に記載の方法。
【請求項４】
ポリジメチルシロキサンポリマーが、ポリジメチルシロキサンポリマーの末端に、少なくとも１つの正電荷を持つ官能基を含む、請求項１に記載の方法。
【請求項５】
さらに：
（ｄ）酸洗い剤をテキスタイル表面に加えて、テキスタイル表面のｐＨを下げる工程
を含む、請求項１に記載の方法。
【請求項６】
テキスタイル表面を乾燥する工程が、６０華氏温度〜２８０華氏温度でテキスタイル表面を乾燥する工程を含む、請求項１に記載の方法。